【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
セルラーネットワークにおいてサービスをブロードキャストするための方法であって、
サーバにおいて、2つ以上のデータストリームを含むサービスの第1のデータストリームが、ファイル配信情報を提供しファイルオブジェクトの送信を可能にするプロトコルの第1のトランスポートセッションにおいてブロードキャストされるようにスケジューリングされ、前記サービスの第2のデータストリームが前記プロトコルの第2のトランスポートセッションにおいてブロードキャストされるようにスケジューリングされるように、前記サービスに関するスケジュールを生成するステップであって、前記第1のトランスポートセッションにおける前記1のデータストリームと前記第2のトランスポートセッションにおける前記2のデータストリームとが前記サービスに関連する、ステップと、
前記サーバにおいて、前記サービスに関連するダイアリーファイルを生成するステップであって、前記ダイアリーファイルが、前記サービス、前記第1のトランスポートセッションおよび前記第1のデータストリームにおけるデータのタイプ、前記第2のトランスポートセッションおよび前記第2のデータストリームにおけるデータのタイプ、ならびに前記第1のトランスポートセッションおよび前記第2のトランスポートセッションに関するセッション記述の表示を含むステップと、
前記ダイアリーファイルを前記サーバから受信機デバイスに送るステップと、
前記セルラーネットワークにおいて前記スケジュールに従って前記サービスを前記第1のトランスポートセッションおよび前記第2のトランスポートセッションにおいてブロードキャストするステップと、
を含み、
ファイル配信情報を提供しファイルオブジェクトの送信を可能にする前記プロトコルの前記第1のトランスポートセッションは、第1のファイルデリバリオーバーユニディレクショナルトランスポート(「FLUTE」)セッションであり、
前記プロトコルの前記第2のトランスポートセッションは、第2のFLUTEセッションである、
方法。
【請求項２】
前記第1のデータストリームにおけるデータの前記タイプは、前記第1のセッション記述における第1のカテゴリー属性によって示され、前記第2のデータストリームにおけるデータの前記タイプは、前記第2のセッション記述における第2のカテゴリー属性によって示される、請求項1に記載の方法。
【請求項３】
前記ダイアリーファイルは、前記第1のFLUTEセッションおよび前記第2のFLUTEセッションに関するトランスポートスケジュール情報を有するサービススケジュールフラグメントを含み、
前記第1のFLUTEセッションおよび前記第2のFLUTEセッションに関する前記セッション記述の前記表示は、前記第1のFLUTEセッションまたは前記第2のFLUTEセッションのいずれかでの送信を記述した前記トランスポートスケジュール情報のコンポーネントを識別する、請求項1に記載の方法。
【請求項４】
前記第1のデータストリームにおけるデータの前記タイプは、前記サービススケジュールフラグメントに示された第1のカテゴリー属性によって示され、前記第2のデータストリームにおけるデータの前記タイプは、前記サービススケジュールフラグメントに示された第2のカテゴリー属性によって示される、請求項3に記載の方法。
【請求項５】
前記第1のカテゴリー属性および前記第2のカテゴリー属性は、それぞれ前記第1のセッション記述および前記第2のセッション記述においてコード化され、前記第1のカテゴリー属性および第2のカテゴリー属性は、前記第1のセッション記述および前記第2のセッション記述によって参照されるサービス発見ファイルにおいてコード化され、または前記第1のカテゴリー属性および前記第2のカテゴリー属性は、前記第1のセッション記述および前記第2のセッション記述によって参照されるフィルタフラグメント中のフィルタリング規則においてコード化される、請求項4に記載の方法。
【請求項６】
前記第1のFLUTEセッションおよび前記第2のFLUTEセッションに関する前記セッション記述の前記表示は、
前記第1のFLUTEセッションに関連する第1のセッション記述ユニフォームリソース識別子(「URI」)、第1の送信元インターネットプロトコル(「IP」)アドレス、または第1のトランスポートセッション識別子(「TSI」)の表示と、
前記第2のFLUTEセッションに関連する第2のセッション記述URI、第2の送信元IPアドレス、または第2のTSIの表示とを含む、請求項3に記載の方法。
【請求項７】
前記サーバにおいて、前記サービスの前記第1のデータストリームと前記サービスの前記第2のデータストリームが同じ構成パラメータを必要とするかどうかを判定するステップと、
前記サーバにおいて、前記サービスの前記第1のデータストリームと前記サービスの前記第2のデータストリームが同じ構成パラメータを必要とすると判定したことに応答して、前記サービスの前記第1のデータストリームと前記サービスの前記第2のデータストリームの両方に関する構成パラメータの共通のリストを生成するステップと、
前記サーバにおいて、前記サービスの前記第1のデータストリームと前記サービスの前記第2のデータストリームが異なる構成パラメータを必要とすると判定したことに応答して、前記サービスの前記第1のデータストリームに関する構成パラメータの第1のリストおよび前記サービスの前記第2のデータストリームに関する構成パラメータの第2のリストを生成するステップとをさらに含む、請求項1に記載の方法。
【請求項８】
前記サーバにおいて、前記サービスに関連するダイアリーファイルを生成するステップは、前記サーバにおいて、構成パラメータの前記共通のリストまたは構成パラメータの前記第1および第2のリストを組み込んだ、前記サービスに関連するダイアリーファイルを生成するステップを含む、請求項7に記載の方法。
【請求項９】
構成パラメータの前記共通のリスト、構成パラメータの前記第1のリスト、および構成パラメータの前記第2のリストの各々は、関連配信プロシージャ記述フラグメントである、請求項7に記載の方法。
【請求項１０】
前記ダイアリーファイルはユーザサービス記述であり、更新フラグメントは、関連配信プロシージャ記述フラグメント、スケジュールフラグメント、またはメディアプレゼンテーション記述フラグメントである、請求項1に記載の方法。
【請求項１１】
2つ以上のデータストリームを含むサービスの第1のデータストリームが、ファイル配信情報を提供しファイルオブジェクトの送信を可能にするプロトコルの第1のトランスポートセッションにおいてブロードキャストされるようにスケジューリングされ、前記サービスの第2のデータストリームが前記プロトコルの第2のトランスポートセッションにおいてブロードキャストされるようにスケジューリングされるように、前記サービスに関するスケジュールを生成するための手段であって、前記第1のトランスポートセッションにおける前記1のデータストリームと前記第2のトランスポートセッションにおける前記2のデータストリームとが前記サービスに関連する、手段と、
前記サービスに関連するダイアリーファイルを生成するための手段であって、前記ダイアリーファイルが、前記サービス、前記第1のトランスポートセッションおよび前記第1のデータストリームにおけるデータのタイプ、前記第2のトランスポートセッションおよび前記第2のデータストリームにおけるデータのタイプ、ならびに前記第1のトランスポートセッションおよび前記第2のトランスポートセッションに関するセッション記述の表示を含む手段と、
前記ダイアリーファイルを受信機デバイスに送るための手段と、
セルラーネットワークにおいて前記スケジュールに従って前記サービスを前記第1のトランスポートセッションおよび前記第2のトランスポートセッションにおいてブロードキャストするための手段と
を備え、
ファイル配信情報を提供しファイルオブジェクトの送信を可能にする前記プロトコルの前記第1のトランスポートセッションは、第1のファイルデリバリオーバーユニディレクショナルトランスポート(「FLUTE」)セッションであり、
前記プロトコルの前記第2のトランスポートセッションは、第2のFLUTEセッションである、
サーバ。
【請求項１２】
プロセッサ実行可能命令を記憶した非一時的プロセッサ可読記憶媒体であって、前記プロセッサ実行可能命令がプロセッサに、請求項1乃至10の何れか1項に記載の方法を実行させるように構成される非一時的プロセッサ可読記憶媒体。
【請求項１３】
2つ以上のデータストリームを含むサービスの第1のデータストリームが、ファイル配信情報を提供しファイルオブジェクトの送信を可能にするプロトコルの第1のトランスポートセッションにおいてブロードキャストされるようにスケジューリングされ、前記サービスの第2のデータストリームが、前記プロトコルの第2のトランスポートセッションにおいてブロードキャストされるようにスケジューリングされるように、前記サービスに関連するダイアリーファイルを、受信機デバイスにおいて受信するステップであって、前記第1のトランスポートセッションにおける前記1のデータストリームと前記第2のトランスポートセッションにおける前記2のデータストリームとが前記サービスに関連し、前記ダイアリーファイルが、前記サービス、前記第1のトランスポートセッションおよび前記第1のデータストリームにおけるデータのタイプ、前記第2のトランスポートセッションおよび前記第2のデータストリームにおけるデータのタイプ、ならびに前記第1のトランスポートセッションおよび前記第2のトランスポートセッションに関するセッション記述の表示を含み、ファイル配信情報を提供しファイルオブジェクトの送信を可能にする前記プロトコルの前記第1のトランスポートセッションは、第1のファイルデリバリオーバーユニディレクショナルトランスポート(「FLUTE」)セッションであり、前記プロトコルの前記第2のトランスポートセッションは、第2のFLUTEセッションである、ステップと、
前記受信機デバイスにおいて、前記受信されたダイアリーファイルに基づいて、前記第1のデータストリームにおけるデータの前記タイプおよび前記第2のデータストリームにおけるデータの前記タイプを判定するステップと、
前記受信機デバイスにおいて、前記第1のトランスポートセッションまたは前記第2のトランスポートセッションのうちの少なくとも一方に参加して前記サービスの前記第1のデータストリームまたは前記第2のデータストリームの少なくとも一方を受信するステップと、
前記受信機デバイスにおいて、前記第1のデータストリームにおけるデータの前記判定されたタイプに従って前記第1のデータストリームを出力することと前記第2のデータストリームにおけるデータの前記判定されたタイプに従って前記第2のデータストリームを出力することの少なくとも一方によって、前記受信されたサービスをレンダリングするステップと
を含む方法。
【請求項１４】
2つ以上のデータストリームを含むサービスの第1のデータストリームが、ファイル配信情報を提供しファイルオブジェクトの送信を可能にするプロトコルの第1のトランスポートセッションにおいてブロードキャストされるようにスケジューリングされ、前記サービスの第2のデータストリームが、前記プロトコルの第2のトランスポートセッションにおいてブロードキャストされるようにスケジューリングされるように、前記サービスに関連するダイアリーファイルを受信するための手段であって、前記第1のトランスポートセッションにおける前記1のデータストリームと前記第2のトランスポートセッションにおける前記2のデータストリームとが前記サービスに関連し、前記ダイアリーファイルが、前記サービス、前記第1のトランスポートセッションおよび前記第1のデータストリームにおけるデータのタイプ、前記第2のトランスポートセッションおよび前記第2のデータストリームにおけるデータのタイプ、ならびに前記第1のトランスポートセッションおよび前記第2のトランスポートセッションに関するセッション記述の表示を含み、ファイル配信情報を提供しファイルオブジェクトの送信を可能にする前記プロトコルの前記第1のトランスポートセッションは、第1のファイルデリバリオーバーユニディレクショナルトランスポート(「FLUTE」)セッションであり、前記プロトコルの前記第2のトランスポートセッションは、第2のFLUTEセッションである、手段と、
前記受信されたダイアリーファイルに基づいて、前記第1のデータストリームにおけるデータの前記タイプおよび前記第2のデータストリームにおけるデータの前記タイプを判定するための手段と、
前記第1のトランスポートセッションまたは前記第2のトランスポートセッションのうちの少なくとも一方に参加して前記サービスの前記第1のデータストリームまたは前記第2のデータストリームの少なくとも一方を受信するための手段と、
前記第1のデータストリームにおけるデータの前記判定されたタイプに従って前記第1のデータストリームを出力することと前記第2のデータストリームにおけるデータの前記判定されたタイプに従って前記第2のデータストリームを出力することの少なくとも一方によって、前記受信されたサービスをレンダリングするための手段と
を備える受信機デバイス。
【請求項１５】
プロセッサ実行可能命令を記憶した非一時的プロセッサ可読記憶媒体であって、前記プロセッサ実行可能命令がプロセッサに、請求項13に記載の方法を実行させるように構成される非一時的プロセッサ可読記憶媒体。
【請求項１６】
受信機デバイスであって、
第1のネットワークインターフェースと、
前記第1のネットワークインターフェースに接続された受信機デバイスプロセッサと
を備える受信機デバイスと、
サーバであって、
第2のネットワークインターフェースと、
前記第2のネットワークインターフェースに接続されたサーバプロセッサであって、動作を実行するためのプロセッサ実行可能命令を有するように構成され、前記動作が、
2つ以上のデータストリームを含むサービスの第1のデータストリームが、ファイル配信情報を提供しファイルオブジェクトの送信を可能にするプロトコルの第1のトランスポートセッションにおいてブロードキャストされるようにスケジューリングされ、前記サービスの第2のデータストリームが前記プロトコルの第2のトランスポートセッションにおいてブロードキャストされるようにスケジューリングされるように、前記サービスに関するスケジュールを生成することであって、前記第1のトランスポートセッションにおける前記1のデータストリームと前記第2のトランスポートセッションにおける前記2のデータストリームとが前記サービスに関連する、ことと、
前記サービスに関連するダイアリーファイルを生成することであって、前記ダイアリーファイルが、前記サービス、前記第1のトランスポートセッションおよび前記第1のデータストリームにおけるデータのタイプ、前記第2のトランスポートセッションおよび前記第2のデータストリームにおけるデータのタイプ、ならびに前記第1のトランスポートセッションおよび前記第2のトランスポートセッションに関するセッション記述の表示を含むことと、
前記ダイアリーファイルを前記第2のネットワークインターフェースを介して前記受信機デバイスに送ることと、
セルラーネットワークにおいて前記スケジュールに従って前記サービスを前記第2のネットワークインターフェースを介して前記第1のトランスポートセッションおよび第2のトランスポートセッションにおいてブロードキャストすることとを含むサーバとを備え、
前記受信機デバイスプロセッサは、動作を実行するためのプロセッサ実行可能命令を有するように構成され、前記動作が、
前記ダイアリーファイルを前記第1のネットワークインターフェースを介して受信することと、
前記受信されたダイアリーファイルに基づいて、前記第1のデータストリームにおけるデータの前記タイプおよび前記第2のデータストリームにおけるデータの前記タイプを判定することと、
前記第1のネットワークインターフェースを介して、前記第1のトランスポートセッションまたは前記第2のトランスポートセッションのうちの少なくとも一方に参加して前記サービスの前記第1のデータストリームまたは前記第2のデータストリームの少なくとも一方を受信することと、
前記第1のデータストリームにおけるデータの前記判定されたタイプに従って前記第1のデータストリームを出力することと前記第2のデータストリームにおけるデータの前記判定されたタイプに従って前記第2のデータストリームを出力することの少なくとも一方によって、前記受信されたサービスをレンダリングすることとを含み、
ファイル配信情報を提供しファイルオブジェクトの送信を可能にする前記プロトコルの前記第1のトランスポートセッションは、第1のファイルデリバリオーバーユニディレクショナルトランスポート(「FLUTE」)セッションであり、
前記プロトコルの前記第2のトランスポートセッションは、第2のFLUTEセッションである、
システム。